(57)【特許請求の範囲】
【請求項１】
マイクロホンユニットと、
前記マイクロホンユニットを覆うヘッドケースと、
を備え、
前記ヘッドケースは、ドーム状の上部ケースと、前記上部ケースに接合するヘッドリングと、前記ヘッドケースと前記マイクロホンユニットの間に配置されるドーム状の上側風防と、を有し、
前記ヘッドリングの上面には、前記上側風防の開口端と前記上部ケースの開口端が配置される第１溝部があり、
前記上側風防の厚さは、前記第１溝部の幅よりも小さく、
前記上側風防は焼結プラスチックにより形成されていて、
前記上側風防の一方の開口は前記上部ケースの一方の開口よりも大きく、
前記上側風防の前記開口端は弾性力によって前記上部ケースの開口端を押圧する、
マイクロホン。
【請求項２】
前記ヘッドケースは、筒状の下部ケースと、前記下部ケースと前記マイクロホンユニットの間に配置される筒状の下側風防をさらに備え、
前記ヘッドリングの下面には、前記下側風防の一方の開口端と前記下部ケースの一方の開口端が配置される第２溝部がある、請求項１記載のマイクロホン。
【請求項３】
前記下側風防は焼結プラスチックによって形成されている請求項２記載のマイクロホン。
【請求項４】
前記ヘッドケースは、前記下部ケースに接合するネックリングをさらに有し、
前記ネックリングは、前記下側風防の他方の開口端と前記下部ケースの他方の開口端が配置される第３溝部を有する、請求項２又は３記載のマイクロホン。
【請求項５】
前記下側風防の一方の開口は前記下部ケースの一方の開口よりも大きく、前記下側風防の他方の開口は前記下部ケースの一方の開口よりも大きい、請求項２乃至４に記載のマイクロホン。
【請求項６】
前記ヘッドケースは、前記上側風防と前記マイクロホンユニットの間にドーム状の第２風防をさらに有し、
前記第２風防の開口端は、前記第１溝部に配置されていて、前記上側風防の開口端の内側側面を押圧する、請求項１乃至５のいずれかに記載のマイクロホン。
【請求項７】
マイクロホンユニットを覆うマイクロホンのヘッドケースであって、
前記ヘッドケースと前記マイクロホンユニットの間に配置される、焼結プラスチックによって形成されたドーム状の上側風防と、
ドーム状の上部ケースと、前記上部ケースに接合するヘッドリングと、を備え、
前記ヘッドリングの上面には、前記上側風防の開口端と前記上部ケースの開口端が配置される第１溝部があり、前記上側風防の厚さは、前記第１溝部の幅よりも小さく、
前記上側風防は焼結プラスチックにより形成されていて、
前記上側風防の一方の開口は前記上部ケースの一方の開口よりも大きく、
前記上側風防の前記開口端は弾性力によって前記上部ケースの開口端を押圧する、
マイクロホンのヘッドケース。
【発明の詳細な説明】
【技術分野】
【０００１】
本発明は、マイクロホンおよびマイクロホンのヘッドケースに関する。
【背景技術】
【０００２】
単一指向性ダイナミックマイクロホンでは、網で作製した球形のヘッドケースが多く用いられる。一般的に、ヘッドケースの内側には、外部からの風や息によるポップノイズの収音を防ぐために風防が取り付けられる。ポリウレタンフォームで作製した風防はヘッドケース内部になじみやすく、取り付け後に振動等で容易に脱落しない。しかし、ポリウレタンフォームは空気中の湿気等の水分により劣化するため、劣化したポリウレタンフォームがヘッドケースの網目に詰まって音波の透過を阻害する等の課題があった。また、劣化した風防を交換するなど修理の際には、風防がヘッドケースに粘りついて外せなくなる課題があった。
【０００３】
このような課題を解決するため、風防を板状の焼結プラスチックで構成することが考えられる。焼結プラスチックはプラスチック粉末を原料とし、焼結・成形した連続多孔質体である。耐候性・耐薬品性に優れ、様々な形状に加工が可能である。そのため、ポリウレタンフォームのような劣化は起こらない。しかし、板状の焼結プラスチックは弾力が大きいため、ヘッドケースの内側に密着しづらく、なじみにくい。また、焼結プラスチックの風防は薄い板状の焼結体を加工しているため、外力により容易に振動しやすい。そのため、風防の振動によって雑音が発生する。
【０００４】
そこで、焼結プラスチックのような劣化の無い風防がヘッドケース内に容易に固定されるマイクロホンが必要とされている。
【０００５】
これまでマイクロホンのヘッドケースについて、例えば、縦断面平板形の中間接合リングの内面に対して、接着剤を介して上部・下部の各網体の開口縁を少許圧縮径にして密着嵌入させ、外部からの加熱により接着剤を溶融後、固化させて接着したマイクロホンヘッドが開示されている（例えば、特許文献１参照）。
【０００６】
また、合成樹脂材を殻体形状に形成してマイクヘッド全体を被包したマイクロホンプロテクターが開示されている（例えば、特許文献２参照）。
【先行技術文献】
【特許文献】
【０００７】
【特許文献１】特開平２−３０８６９９号公報
【特許文献２】特開平６−３８２８７号公報
【発明の概要】
【０００８】
しかしながら、焼結プラスチックのような劣化のない薄い風防をヘッドケース内に最適な状態で収めることはできなかった。
【発明が解決しようとする課題】
【０００９】
本発明は、ヘッドケース内に薄い風防が容易に安定して固定されるマイクロホンを提供することを目的とする。
【課題を解決するための手段】
【００１０】
本発明にかかるマイクロホンは、マイクロホンユニットと、マイクロホンユニットを覆うヘッドケースと、を備え、ヘッドケースは、ドーム状の上部ケースと、上部ケースに接合するヘッドリングと、ヘッドケース記マイクロホンユニットの間に配置されるドーム状の上側風防と、を有し、ヘッドリングの上面には、上側風防の開口端と上部ケースの開口端が配置される第１溝部があり、上側風防の厚さは、第１溝部の幅よりも小さく、上側風防は焼結プラスチックにより形成されていて、上側風防の一方の開口は上部ケースの一方の開口よりも大きく、上側風防の開口端は弾性力によって前記上部ケースの開口端を押圧する。
【００１１】
また、本発明にかかるマイクロホンのヘッドケースは、マイクロホンユニットを覆うマイクロホンのヘッドケースであって、ヘッドケースとマイクロホンユニットの間に配置される、焼結プラスチックによって形成されたドーム状の上側風防と、ドーム状の上部ケースと、上部ケースに接合するヘッドリングと、を備え、ヘッドリングの上面には、上側風防の開口端と上部ケースの開口端が配置される第１溝部があり、上側風防の厚さは、第１溝部の幅よりも小さく、上側風防は焼結プラスチックにより形成されていて、上側風防の一方の開口は上部ケースの一方の開口よりも大きく、上側風防の開口端は弾性力によって上部ケースの開口端を押圧する。
【発明の効果】
【００１２】
本発明によれば、薄い風防をヘッドケース内に容易に安定して固定することができる。
【図面の簡単な説明】
【００１３】
【図１】本発明にかかるマイクロホンの実施の形態を示す側面図である。
【図２】上記マイクロホンが備えるヘッドケースの、外側の部品についての分解断面図である。
【図３】上記マイクロホンの、上部ケースおよび下部ケースを除いた縦断面図である。
【図４】上記マイクロホンの縦端面図である。
【図５】比較例のマイクロホンの縦端面図である。
【発明を実施するための形態】
【００１４】
以下、本発明にかかるマイクロホンの実施の形態について、図面を参照しながら説明する。
【００１５】
●マイクロホン１の構成
図１に示すように、この実施の形態におけるマイクロホン１は、上部ケース２、ヘッドリング３、下部ケース４、ネックリング５、グリップ６およびケーブル７を備える。上部ケース２、ヘッドリング３、下部ケース４およびネックリング５と、図４に示す第１風防２１、第２風防２２および下側風防４１は、ヘッドケース１０を構成する。
【００１６】
上部ケース２は、ドーム状の金属製の網である。外部の音波は、上部ケース２の網の隙間から内部に透過する。
【００１７】
下部ケース４は、略半球の下側を切った、略筒状の金属製の網である。下部ケース４は上下に開口があり、上側の開口は、下側の開口に比べてやや大きく、上部ケース２の開口（ドームの下部）と略同一の外径および内径である。外部の音波は、下部ケース４の網の隙間からも内部に透過する。上部ケース２および下部ケース４の内部はつながっており、図４に示すマイクロホンユニット８が上部ケース２および下部ケース４の内部に内蔵されている。上部ケース２および下部ケース４を透過した音波は、マイクロホンユニット８により収音される。
【００１８】
図２および図３に示すように、ヘッドリング３は、金属製のリング状の部材である。ヘッドリング３の上面には、ヘッドリング３の外周縁に沿ってリング状に第１溝部３１が設けられている。第１溝部３１の外周にはリング状に突出した第１外側凸部３１１、第１溝部３１の内周にはリング状に突出した第１内側凸部３１２が設けられている。すなわち、第１溝部３１は、第１外側凸部３１１の内側側面と第１内側凸部３１２の外側側面との間に挟まれた領域である。本実施の形態においては、第１外側凸部３１１および第１内側凸部３１２はリング状に設けられているが、複数の凸部が断続的に設けられていてもよい。上部ケース２の開口側の外側面は、第１外側凸部３１１の内側側面に当接されている。
【００１９】
ヘッドリング３の下面には、ヘッドリング３の外周縁に沿ってリング状に下向きの第２溝部３２が設けられている。第２溝部３２の外周にはリング状に突出した第２外側凸部３２１、第２溝部３２の内周にはリング状に突出した第２内側凸部３２２が設けられている。すなわち、第２溝部３２は、第２外側凸部３２１の内側側面と第２内側凸部３２２の外側側面との間に挟まれた領域である。本実施の形態においては、第２外側凸部３２１および第２内側凸部３２２はリング状に設けられているが、複数の凸部が断続的に設けられていてもよい。下部ケース４の開口側の外側面は、第２外側凸部３２１の内側側面に当接している。
【００２０】
ネックリング５は、下部ケース４とグリップ６を接合するリング状の部材である。ネックリング５の上面にはＶ字状の第３溝部５１が全周に設けられている。第３溝部５１の外周にはリング状に突出した第３外側凸部５１１、第３溝部５１の内周にはリング状に突出した第３内側凸部５１２が形成されている。下部ケース４の下側の開口の外側面は、第３外側凸部５１１の内側側面に当接している。
【００２１】
機械的強度を持たせるため、ヘッドリング３およびネックリング５は、例えば快削鋼でできている。上部ケース２および下部ケース４は、焼結プラスチックより強度が高い素材が望ましく、例えば鉄線でできている。上部ケース２および下部ケース４は、焼結金属でできていてもよい。ヘッドリング３と上部ケース２および下部ケース４、ネックリング５と下部ケース４の当接面は、それぞれろう付けされていてもよい。
【００２２】
図１に示すように、グリップ６は、上端でネックリング５を把持している。グリップ６の内部は、例えば空気室になっている。グリップ６の下端には、マイクロホンユニット８に電気的に接続されたケーブル７が接合されている。
【００２３】
●比較例のマイクロホン１０１の風防の構成
ここで、比較例としてマイクロホン１０１の構成を説明する。
図５に示すように、マイクロホン１０１は、上部ケース１０２、ヘッドリング１０３、下部ケース１０４、ネックリング１０５、マイクロホンユニット１０８、第１風防１２１および第２風防１２２を備える。上部ケース１０２、下部ケース１０４およびマイクロホンユニット１０８の形状は、それぞれ図４に示す上部ケース２、下部ケース４およびマイクロホンユニット８と同様である。
【００２４】
第１風防１２１および第２風防１２２は、ポリウレタンフォームでできている。第１風防１２１はドーム状で、上部ケース１０２の内側に沿って接触して配置されている。第１風防１２１は、第１風防１２１と上部ケース１０２の間の摩擦力により固定されている。第２風防１２２は、第１風防１２１の内側の空間に配置されたポリウレタン製のシートである。第２風防１２２は、第１風防１２１内側の形状に合わせてやや湾曲している。
【００２５】
ポリウレタンフォームは、焼結プラスチックに比べて薄く加工することができないため、第２風防１２２は、第１風防１２１およびマイクロホンユニット８に接触している。上部ケース１０２、第１風防１２１、第２風防１２２およびマイクロホンユニット８の間にそれぞれ摩擦力が生じている。そのため、組立時に上部ケース１０２を回転させると、第１風防１２１および第２風防１２２がねじれて変形してしまう。ポリウレタンフォームは空気中の湿気等の水分により劣化するため、風防がヘッドケースに粘りついて外せなくなることがある。また、劣化したポリウレタンフォームは上部ケース１０２の網目に詰まって、音波の透過を阻害する。さらに状態の悪いポリウレタンフォームは粉状になるため、マイクロホンユニット８の隙間に入り、振動板の動きを阻害する。
【００２６】
●マイクロホン１の風防の構成
本発明にかかるマイクロホン１の説明に戻る。図３に示すように、マイクロホン１は、第１風防２１および下側風防４１を備える。第１風防２１および下側風防４１は、焼結プラスチックでできている。焼結プラスチックは、ポリウレタンフォームに比べて水分や湿気に強い。焼結プラスチックは、ポリウレタンフォームに比べて衛生的であり、臭いも少ない。
【００２７】
焼結プラスチックの素材は適宜選択可能である。例えば、ポリエチレン製の焼結プラスチックでできた風防は、紫外線に強く耐候性に優れ、劣化が無い。また、ポリエチレン製の焼結プラスチックは、耐薬品性に優れ、消毒などによって劣化することがない。
【００２８】
第１風防２１および下側風防４１は、所望の音響抵抗に合わせて適宜の厚さの焼結プラスチックが使用できる。後述する適度な弾性力を実現するため、好ましくは１ｍｍ〜５ｍｍの厚さが望ましい。
【００２９】
第１風防２１は、上部ケース２の内側に配置されるドーム状の部材であり、弾力性をもっている。第１風防２１の開口２１１の外径は、上部ケース２の内径に比べてやや大きい。組立時において、第１風防２１はヘッドリング３の下側から上向きに押し込まれることにより一時的に小さく変形し、上部ケース２の内側にはめ込まれる。第１風防２１の開口２１１端は、上部ケース２と共に第１溝部３１に配置され、嵌合する。すなわち、第１風防２１の厚さと上部ケース２の開口２１１端の厚さを合わせた厚さは、第１溝部３１の幅よりも小さい。
【００３０】
開口２１１には、焼結プラスチックの復元力によりマイクロホン１の軸方向外向きに拡開する力が生じる。この力により、開口２１１側の外側面は、上部ケース２を介して第１外側凸部３１１の内側側面に押圧される。
【００３１】
第１風防２１の開口２１１側の外側面が第１外側凸部３１１の内側側面に押圧されている。また、マイクロホン１に衝撃などが加わり、第１風防２１が上部ケース２の内側に向かってずれた場合、第１内側凸部３１２が第１風防２１に当接し、第１風防２１のずれを抑える。そのため、第１風防２１はヘッドリング３に機械的に固定されることになる。したがって、第１風防２１の外力による振動を軽減し、第１風防２１の振動による雑音を防ぐことができる。すなわち、外部からの振動が第１風防２１に加わるとき、第１溝部３１に嵌まり、その端部が上部ヘッドケースまたはヘッドリング３に接触することにより第１風防２１の振動が軽減される。
【００３２】
下側風防４１は、略半球の下側を切った形状の部材で、弾力性をもっている。下側風防４１は、下部ケース４の内側に配置されていて、ヘッドリング３の第１風防２１とは反対側に当接している。下側風防４１の上側の開口４１１の外径は、下部ケース４の上側の開口の内径に比べてやや大きい。また、下側風防４１の下側の開口４１２の外径は、下部ケース４の下側の開口の内径に比べてやや大きい。
【００３３】
組立時において、下側風防４１はネックリング５の下側から上向きに押し込まれることにより一時的に小さく変形し、下部ケース４の内側にはめ込まれる。下部ケース４の内側にはめ込まれた状態において、下側風防４１には、焼結プラスチックの復元力によりマイクロホン１の軸方向外向きに拡開する力が生じる。この力により、開口４１１側の外側面は、下部ケース４を介して第２外側凸部３２１の内側側面に押圧される。下側風防４１の上側の開口４１１端は、下部ケース４と共に第２溝部３２に配置され、嵌合する。下側風防４１の下側の開口４１２端は、下部ケース４と共に第３溝部５１に配置され、嵌合する。
【００３４】
すなわち、下側風防４１の厚さと下部ケース４の上側の開口４１１端の厚さを合わせた厚さは、第２溝部３２の幅よりも小さい。下側風防４１の厚さと下部ケース４の下側の開口４１２端の厚さを合わせた厚さは、第３溝部５１の幅よりも小さい。
【００３５】
下側風防４１の開口４１１側および開口４１２側の外側面が、第２外側凸部３２１の内側側面および第３外側凸部５１１の内側側面にそれぞれ押圧されている。また、マイクロホン１に衝撃などが加わり、下側風防４１が下部ケース４内側に向かってずれた場合、第２内側凸部３２２および第３内側凸部５１２が下側風防４１のずれを抑える。そのため、下側風防４１はヘッドリング３およびネックリング５に機械的に固定される。したがって、下側風防４１の外力による振動を軽減し、下側風防４１の振動による雑音を防ぐことができる。すなわち、外部からの振動が下側風防４１に加わるとき、第２溝部３２および第３溝部５１に嵌めこまれた下側風防４１はヘッドリング３およびネックリング５に接触し、下側風防４１の振動が軽減される。
【００３６】
第１風防２１は第１外側凸部３１１と第１内側凸部３１２に、下側風防４１は第２外側凸部３２１と第２内側凸部３２２によってそれぞれ下部ケース４の半径方向へのずれが無い様に支持されている。また、第１風防２１と下側風防４１それぞれの、上部ケース２および下部ケース４に対する周方向の動きは制限されていない。上部ケース２および下部ケース４を回転させても、第１風防２１と上部ケース２の間、下側風防４１と下部ケース４の間でそれぞれスリップする。したがって、上部ケース２および下部ケース４の回転により、第１風防２１および下側風防４１がねじれて変形することがない。
【００３７】
図４に示すように、第１風防２１の内側には、第１風防２１よりやや小さいドーム状の第２風防２２がさらに配置されている。第２風防２２は、第１風防２１および下側風防４１と同様に焼結プラスチックでできている。焼結プラスチックは、ポリウレタンフォームに比べて薄く加工することができるため、風防を２層にしてもマイクロホンユニット８に接触しづらい。
【００３８】
第１風防２１と第２風防２２の間には、空気の層がある。空気の層により、マイクロホンユニット８に気流が直接当たらなくなるため、ポップノイズを防ぐことができる。
【００３９】
第２風防２２の開口２２１の外径は、第１風防２１の開口２１１の内径に比べてやや大きい。組立時には、第２風防２２をネックリング５の下側から押し込むことにより開口２２１を一時的に小さくして、開口２２１側の外側面を第１風防２１の開口２１１の内側に嵌め込む。第２風防２２の開口２２１には、焼結プラスチックの弾性力によりマイクロホン１の軸方向外向きに拡開する力が生じる。この力により、第２風防２２の開口２２１側の外側面は、第１風防２１の開口２１１を介して第１外側凸部３１１の内側側面に押圧される。
【００４０】
第２風防２２の開口２２１側の外側面が第１外側凸部３１１の内側側面に押圧されているため、第２風防２２はヘッドリング３に機械的に固定される。したがって、第２風防２２が外力で振動することがなく、第２風防２２の振動による雑音を防ぐことができる。
【００４１】
前述のとおり、本実施形態における第１風防２１、第２風防２２および下側風防４１は弾性力を持っている。したがって、メンテナンスなどの理由によるヘッドケースからの各風防の取り外し、取り付けが容易になる。これは焼結プラスチックが弾性を有していることから、各風防を一時的に小さく変形させることができるためである。
【００４２】
再組み立て時には、ネックリング５の開口から適宜の順に各風防を挿入する。一時的に変形した各風防はヘッドケース１０内部で自身の弾性力によって形状を元に戻す。そして、第１風防２１の開口２１１および第２風防２２の開口２２１とヘッドリング３の第１溝部３１、下側風防４１の上側の開口４１１とヘッドリング３の第２溝部３２、下側風防４１の下側の開口４１２とネックリング５の第３溝部５１がそれぞれ嵌合する。そのため、第１風防２１、第２風防２２および下側風防４１は最適な状態で上部ケース２および下部ケース４の内側に固定される。
【００４３】
なお、本実施の形態においては、ダイナミックマイクロホンについて説明したが、本発明はコンデンサマイクロホンなどにも適用可能である。
【００４４】
以上説明した実施の形態によれば、ヘッドリングの上面に風防の開口端と上部ケースの開口端が嵌合する第１溝部３１がある構成により、第１風防２１を上部ケース２内に容易に固定することができる。
【符号の説明】
【００４５】
１        マイクロホン
２        上部ケース
３        ヘッドリング
４        下部ケース
２１      第１風防
２２      第２風防
３１      第１溝部
３２      第２溝部
４１      下側風防
５１      第３溝部
【図１】
0006421358.tif 000002
【図２】
0006421358.tif 000003
【図３】
0006421358.tif 000004
【図４】
0006421358.tif 000005
【図５】
0006421358.tif 000006